(57)【要約】道路及び／又は鉄道車両用のスワップボディ等の荷搬送器（２０）において、該搬送器が少なくともベース（１）を具えており、該ベースが実質的に正方形であり、かつ搬送器の幅及び長さを画定しており、該ベースがその各角部に１対のスピゴット受容位置（７）を有しており、各対が中心（１３）を有しており、幅及び長さの方向で最も近位の中心間の距離（ｄ）を第１の距離とし、幅及び長さの方向で最も遠位の中心間の距離（Ｄ）を第２の距離とすることを特徴とする。
2005500955.tif 000002
【特許請求の範囲】
【請求項１】
荷搬送器（２０）において、該搬送器が少なくともベース（１）を具えており、該ベースが実質的に正方形であり、かつ搬送器の幅及び長さを画定しており、該ベースがその各角部に１対のスピゴット受容位置（７）を有しており、各対が中心（１３）を有しており、幅及び長さの方向で最も近位の中心間の距離（ｄ）を第１の距離とし、幅及び長さの方向で最も遠位の中心間の距離（Ｄ）を第２の距離とすることを特徴とする荷搬送器。
【請求項２】
ベースが、フォークリフト受け（２）を画定するフレームを４側面全てに有する、請求項１に記載の荷搬送器。
【請求項３】
各角部の鋳造体又はプレートに、各位置の中心にある１対の開口（７）を設ける、請求項１又は２に記載の荷搬送器。
【請求項４】
各角部の鋳造体又はプレートに、少なくとも１対のうちの両方の中心（１３）を包囲する単一の開口を設ける、請求項１又は２に記載の荷搬送器。
【請求項５】
２つの対向する側面部材（３）が、ベースから天板へ上向きに延在する、請求項１〜４のいずれか一項に記載の荷搬送器。
【請求項６】
荷搬送器のその他の側面の少なくとも１つが閉鎖手段（５）を有する、請求項５に記載の荷搬送器。
【請求項７】
閉鎖手段（５）が１つ以上の扉又はシャッターとして形成される、請求項６記載の荷搬送器。
【請求項８】
第１の距離（ｄ）が実質的に２，０００ｍｍである、請求項１〜７のいずれか一項記載の荷搬送器。
【請求項９】
第２の距離（Ｄ）が実質的に２，２５９ｍｍであり、かつ２，２４５ｍｍと２，２７５ｍｍの間である、請求項１〜８のいずれか一項に記載の荷搬送器。
【請求項１０】
スピゴット（８）を４個のスピゴットからなる組で有しており、各組が請求項１〜９のいずれか一項に記載の荷搬送器（２０）を受容するように配置されており、各組のスピゴットの横方向及び縦方向の離間距離が前記荷搬送器の前記第２の距離（Ｄ）及び前記第１の距離（ｄ）に対応する、道路又は鉄道車両。
【発明の詳細な説明】
【技術分野】
【０００１】
この発明は、スワップボディ等の荷搬送器に関するものである。
【背景技術】
【０００２】
貨物を輸送するためのスワップボディは周知である。これらはＩＳＯコンテナよりも軽量な構造物であり、かつ遠距離海上交通よりも主として陸上路又は鉄道路で用いられる。これらは一般に、牽引車両と共に用いられる場合には最小長さの７．１５ｍで、またはセミトレーラーと共に用いられる場合には最大長さの１３．６ｍで供給される。これらは、後部扉を介し、必要に応じて側部又は天板を介し積載される単一のユニットとして機能する。
【０００３】
道路車両又は鉄道貨車等の輸送ユニットの位置決めは、スワップボディのベースフレームのＩＳＯ型下方角部鋳造体と、輸送ユニットのツイストロック又はスピゴットとを介する。スワップボディは、ＩＳＯコンテナの正規の８フィート（２，４３８ｍｍ）幅よりも通常は広いが、依然として２，２５９ｍｍの標準ＩＳＯ横ツイストロック位置中心を維持している。縦位置中心は、ユニットの長さ、及び関連するＩＳＯ又はスワップボディ設計基準により決まる。
【０００４】
ツイストロック又はスピゴット、及び荷ユニットの対応する開口は、概ね長方形状であり、その長軸が輸送ユニットに沿っており、その短軸が輸送ユニットを横切っている。
【０００５】
ヨーロッパにおいては、駅での出入りが制限されているので、鉄道貨車にはスワップボディ位置決め用のスピゴットが取り付けられている。スピゴットは、強風でユニットがひっくり返らないような形状とされている。運転手が同行しているので、道路車両には典型的には伸縮式のツイストロックが取り付けられている。
【０００６】
スワップボディは、高価な架空装置−ＩＳＯコンテナと同じトップリフト、又はスワップボディのベースフレームに位置する受けを用いたグラップラーを介したボトムリフトのいずれかを用いて、鉄道又は道路輸送ユニットから輸送される。
【発明の開示】
【発明が解決しようとする課題】
【０００７】
公知のスワップボディは、輸送が高価であり、比較的寸法が大きく、かつ積載した製品をさらに積み替える必要がしばしばある。
【課題を解決するための手段】
【０００８】
この発明によれば、荷搬送器において、搬送器が少なくともベースを具えており、ベースが実質的に正方形であり、かつ搬送器の幅及び長さを画定しており、ベースがその各角部に１対のスピゴット受容位置を有しており、各対が中心を有しており、幅及び長さの方向で最も近位の中心間の距離を第１の距離とし、幅及び長さの方向で最も遠位の中心間の距離を第２の距離とし、既存の標準スワップボディよりも小型であり、幅と長さが同一で、かつ最大の道路車両幅に対応する荷搬送器が提供される。ベースが、フォークリフト受けを画定するフレームを４側面全てに有し、各角部の鋳造体又はプレートが、各角部に２個の開口を含み、各開口がその位置の中心に位置決めされていることが好ましい。第１の距離が約２，０００ｍｍであり、第２の距離が約２，２５９ｍｍであり、かつ２，２４５ｍｍと２，２７５ｍｍの間であることが好ましい。ボディが、ベースから天板に向かって延在する固体である、２つの対向する部材を有することが好ましい。残る２つの側面がそれぞれ閉鎖手段を具えてもよく、１つのみの閉鎖手段を設けてもよい。かかるスワップボディは、固体側面又は閉鎖手段を後部若しくは側部に有して、完全な４方向積載能力を具える。道路車両又は鉄道車両上での位置決めは、従来の表示法及び横中心にあるツイストロック又はスピゴットによることが好ましい。
【０００９】
この発明の他の側面によれば、スピゴットを４個のスピゴットからなる組で有しており、各組がこの発明の第１の側面による荷搬送器を受容するように配置されており、各組のスピゴットの横方向及び縦方向の離間距離が前記荷搬送器の前記第２の距離及び前記第１の距離に対応する道路又は鉄道車両が提供される。
【発明を実施するための最良の形態】
【００１０】
添付の図を参照し、この発明の実施の態様を例として説明する。
【００１１】
図を参照する。スワップボディ２０は、道路及び鉄道車両間を輸送するためのフォークリフト受け２を有する、平面視で正方形の小さな積載ユニットを具える。スワップボディの４つの底角部２２のツイストロック開口プレート６により、スワップボディが、４つの位置、すなわち１つの側面が前方、側方又は後方を向く位置のいずれかに位置することを可能にする。閉鎖手段を輸送車両の前方／後方又は側方に向けることによって、対向する側面の閉鎖手段５は、輸送車両に保安又は出入りの選択肢を与える。
【００１２】
図１は、正方形のベースフレーム１、フォークリフト受け２（４つの側面全てに）、固体側面部材３（対向する側面に）、天板４及び閉鎖手段５（対向する側面を含む）を有するスワップボディ２０を示す。チルド流通に用いるユニットは、１つのみの閉鎖手段を有するように作ることができる。閉鎖手段は、１つの扉、複数の扉、シャッター又はカーテンとすることができる。ある種の貨物に対しては、スワップボディは、フォークリフト受け２を有するベースフレーム１のみからなってもよい。固体側面部材は、全体的又は部分的に格子状であってもよい。
【００１３】
図２は、正方形のベースフレーム１、４つのツイストロック開口プレート６、及び中心１３を具える位置決めスロット７を有する１つのスワップボディの下面図である。スロット７は、最も近位の中心間距離（ｄ）が２，２５９ｍｍ離れるように配置されている。これはベースが回転しても維持されるので、スワップボディが車両フレームスピゴット８に取り付けられた際にも、常に４つのスピゴットがベースフレームの４つの開口と嵌合する。各角部の開口の対は分離した状態で図示されているが、単一のＬ字状開口を設けることもできる。このことは、図２において、開口対の縦側面間を延在する破線で示されている。
【００１４】
図３は、６つのスワップボディを輸送する鉄道貨車１４を図示しており、フォークリフト受け２、閉鎖手段５及びスピゴット８（貨車上）が示されている。スワップボディは、閉鎖手段が側方を向いた状態（出入りのため）で示してある。スワップボディは、貨車隔壁１５に向けて積載することを含め、保安のために閉鎖手段を後部に向けて積載することができる。貨車１４は二連のうちの一部として図示されており、貨車は単一ユニット関節軸型又は２軸型とすることができる。
【００１５】
図４は、５つのスワップボディを輸送する、道路セミトレーラー１６、牽引ユニット１７を図示しており、フォークリフト受け２、固体側面３及びツイストロック１１（トレーラー上）が示してある。スワップボディは、閉鎖手段を後部に向けた状態で示してあり、これは、積載ドック１８からのロールケージを含め、スワップからスワップへのエンドスルー積載に用いることができる。また、側方からの出入りのために、閉鎖手段を側方に向けた状態でスワップボディを用いることもできる。剛体道路車両を用い、任意の数のスワップボディを搬送することができる。必要に応じて、個々のスワップボディを取り外したり、追加したりすることができる。
【００１６】
図５は、鉄道貨車１４のフレーム２５を示しており、スピゴット８の位置、及び各スワップボディの４つのスピゴットからなる組のスピゴット間の横距離に共通する距離Ｄをより明確に示している。距離ｄは、スピゴットの縦離間距離に共通である。
【００１７】
従来の車体構造を有するスワップボディが例示されている。チルド流通に対しては、断熱構造を用いることができる。現行の規則によれば、２，６００ｍｍの最大道幅が許されている。
【００１８】
２つの対向する側面閉鎖手段と固体天板を有するスワップボディが例示されている。閉鎖手段及び固体パネルの任意の変形を用いることができる。対抗する側面に２つの閉鎖手段を設けてもよい。しかし、一般に、１つの閉鎖手段のみを設ける必要がある。これは、車両に載せた際に、閉鎖手段を前方又は後方に向けて、車両の側面からの出入りを防止することができるという利点を有する。
【００１９】
ローラーシャッタードアを有するスワップボディが図示されている。他の種類の閉鎖手段、例えば従来の扉又はカーテンを用いることができる。
【００２０】
下方搭載位置を有するスワップボディが例示されている。スワップボディユニットは、トップリフト取付け具を具えることができる。また、スワップボディは、地上で積み重ね可能にすることもできる。
【図面の簡単な説明】
【００２１】
【図１】スワップボディである、この発明にしたがう搬送器の斜視図である。
【図２】図１のスワップボディの下面図である。
【図３】鉄道貨車に搭載された、６台の図１のスワップボディである。
【図４】道路車両に搭載された、５台の図１のスワップボディである。
【図５】図３の鉄道貨車のフレームの斜視図である。
【国際公開パンフレット】
2005500955.tif 000003
2005500955.tif 000004
2005500955.tif 000005
2005500955.tif 000006
2005500955.tif 000007
2005500955.tif 000008
2005500955.tif 000009
2005500955.tif 000010
2005500955.tif 000011
2005500955.tif 000012
2005500955.tif 000013
2005500955.tif 000014
2005500955.tif 000015
2005500955.tif 000016
【国際調査報告】
2005500955.tif 000017
2005500955.tif 000018
2005500955.tif 000019